(57)【要約】【課題】昇圧した電源を画像形成部へ供給する電源供給部を小型化することができる画像形成装置を提供すること。【解決手段】基板７０の第１面７０ａには、転写電圧検出回路５６と、トランス制御回路５７と、昇圧トランス５５と、昇圧整流回路５４の第１段目の昇圧整流回路５４ａとが実装されている。第１面７０ａと反対側の第２面７０ｂには、昇圧整流回路５４の第２段目の昇圧整流回路５４ｂおよび第３段目の昇圧整流回路５４ｃが実装されている。【選択図】図５
2020134863.tif 000002
【特許請求の範囲】
【請求項１】
シートに画像を形成する画像形成部と、
電源と電気的に接続されており、前記電源の電圧を昇圧して前記画像形成部へ供給する電源供給部と、を備えた画像形成装置であって、
前記電源供給部は、
基板と、
前記基板の第１面に実装され、前記電源の電圧を昇圧する昇圧部を含む第１回路と、
前記第１回路と電気的に接続されており、前記基板の前記第１面と反対側の第２面に実装された第２回路と、を備えており、
前記第１回路および前記第２回路のそれぞれは、少なくとも１つの電子部品と導電パターンとを含むことを特徴とする画像形成装置。
【請求項２】
前記昇圧部は、
前記電源の電圧を昇圧するトランスと、
前記トランスにより昇圧された電圧を整流する整流回路と、を備えており、
前記第２面には、前記整流回路の少なくとも一部が実装されていることを特徴とする請求項１に記載の画像形成装置。
【請求項３】
前記電源供給部が前記電源の電圧を昇圧して前記画像形成部へ供給したときに前記画像形成部に流れる電流または前記画像形成部に発生する電圧を検出する検出回路を備えており、
前記検出回路の少なくとも一部が、前記第２面に実装されていることを特徴とする請求項１または請求項２に記載の画像形成装置。
【請求項４】
前記第１回路は正極性の電圧を生成する回路であり、
前記第２回路は負極性の電圧を生成する回路であることを特徴とする請求項１ないし請求項３のいずれか１項に記載の画像形成装置。
【請求項５】
前記第２回路は、前記電源と前記昇圧部との間に設けられ、前記第１回路が出力する電圧よりも低い低電圧を出力する低圧回路であることを特徴とする請求項１ないし請求項４のいずれか１項に記載の画像形成装置。
【発明の詳細な説明】
【技術分野】
【０００１】
本発明は、画像形成装置に関し、詳しくは、昇圧した電源を画像形成部へ供給する電源供給部の小型化を可能とする画像形成装置に関する。
【背景技術】
【０００２】
従来、支持板部６１の表面６１ａに高圧電源回路基板５２を取付け、裏面６１ｂに高圧電源回路基板５３を取付けた画像形成装置が知られている（特許文献１）。また、回路基板３の表面にＩＣ素子やコンデンサなどの小型表面実装部品などの電気部品５が実装されており、回路基板３の裏面に複数の印刷抵抗体が被着形成された配線モジュールが知られている（特許文献２）。
【先行技術文献】
【特許文献】
【０００３】
【特許文献１】特開２００２-１８９３２０号公報
【特許文献２】特開２００２-２３２１０４号公報
【発明の概要】
【発明が解決しようとする課題】
【０００４】
昇圧した電源を画像形成部へ供給する電源供給部を備えた画像形成装置では、画像形成装置の小型化に合わせて、電源供給部の小型化が要望されている。
【０００５】
そこで、本発明は、上記の要望に応えるべく創出されたものであって、昇圧した電源を画像形成部へ供給する電源供給部を小型化することができる画像形成装置を提供することを目的とする。
【課題を解決するための手段】
【０００６】
上述した目的を達成するため、本発明の画像形成装置は、シートに画像を形成する画像形成部と、電源と電気的に接続されており、電源の電圧を昇圧して画像形成部へ供給する電源供給部と、を備えた画像形成装置であって、電源供給部は、基板と、基板の第１面に実装され、電源の電圧を昇圧する昇圧部を含む第１回路と、第１回路と電気的に接続されており、基板の第１面と反対側の第２面に実装された第２回路と、を備えており、第１回路および第２回路のそれぞれは、少なくとも１つの電子部品と導電パターンとを含むことを第１の特徴とする。
【０００７】
電源の電圧を昇圧する昇圧部を含む第１回路が基板の第１面に実装され、第１回路と電気的に接続された第２回路が第１面と反対側の第２面に実装されているため、第１回路および第２回路が基板の一方の面に実装されている構造よりも、電源供給部を小型化することができる。
【０００８】
本発明の画像形成装置は、前述した第１の特徴において、昇圧部は、電源の電圧を昇圧する昇圧トランスと、昇圧トランスにより昇圧された電圧を整流する整流回路と、を備えており、第２面には、整流回路の少なくとも一部が実装されていることを第２の特徴とする。
【０００９】
昇圧トランスが基板の第１面に実装されており、昇圧トランスにより昇圧された電圧を整流する整流回路の少なくとも一部が、基板の第１面と反対側の第２面に実装されているため、電源供給部の小型化に加え、昇圧トランスと、整流回路の少なくとも一部との間の絶縁距離を長くすることもできる。
【００１０】
本発明の画像形成装置は、前述した第１または第２の特徴において、電源供給部が電源の電圧を昇圧して画像形成部へ供給したときに画像形成部に流れる電流または画像形成部に発生する電圧を検出する検出回路を備えており、検出回路の少なくとも一部が、基板の第１面と反対側の第２面に実装されていることを第３の特徴とする。
【００１１】
電源供給部が電源の電圧を昇圧して画像形成部へ供給したときに画像形成部に流れる電流または画像形成部に発生する電圧を検出する検出回路の少なくとも一部が、基板の第１面と反対側の第２面に実装されているため、電源供給部の小型化に加え、昇圧部と、検出回路の少なくとも一部との間の絶縁距離を長くすることもできる。
【００１２】
本発明の画像形成装置は、前述した第１ないし第３の特徴のいずれか１つにおいて、第１回路は正極性の電圧を生成する回路であり、第２回路は負極性の電圧を生成する回路であることを第４の特徴とする。
【００１３】
正極性の電圧を生成する第１回路が基板の第１面に実装されており、負極性の電圧を生成する第２回路が、基板の第１面と反対側の第２面に実装されているため、正極性の電圧を生成する第１回路および負極性の電圧を生成する第２回路が基板の一方の面に実装されている構造よりも電源供給部を小型化することができる。
しかも、第１回路および第２回路間の絶縁距離を長くすることもできる。
【００１４】
本発明の画像形成装置は、前述した第１ないし第４の特徴のいずれか１つにおいて、第２回路は、電源と昇圧部との間に設けられ、第１回路が出力する電圧よりも低い低電圧を出力する低圧回路であることを第５の特徴とする。
【００１５】
昇圧部を含む第１回路が基板の第１面に実装されており、第１回路が出力する電圧よりも低い低電圧を出力する低圧回路が基板の第１面と反対側の第２面に実装されているため、昇圧部を含む第１回路および低圧回路が基板の一方の面に実装されている構造よりも電源供給部を小型化することができる。
しかも、第１回路および第２回路間の絶縁距離を長くすることもできる。
【発明の効果】
【００１６】
本発明によれば、昇圧した電源を画像形成部へ供給する電源供給部を小型化することができる画像形成装置を提供することができる。
【図面の簡単な説明】
【００１７】
【図１】本発明の実施形態に係るレーザプリンタの概略構成を示す説明図である。
【図２】図１に示すレーザプリンタの主な電気的構成を示す説明図である。
【図３】図２に示す負極性転写電圧印加回路および転写電圧検出回路の回路図である。
【図４】図２に示す正極性転写電圧印加回路および転写電流検出回路の回路図である。
【図５】図１に示すレーザプリンタに設けられた基板の説明図であり、（Ａ）は、第１実施形態における基板の説明図、（Ｂ）は、第２実施形態における基板の説明図である。
【図６】図１に示すレーザプリンタに設けられた基板の説明図であり、（Ａ）は、第３実施形態における基板の説明図、（Ｂ）は、第４実施形態における基板の説明図である。
【発明を実施するための形態】
【００１８】
〈第１実施形態〉
本発明の第１実施形態について図を参照しつつ説明する。
以下の各実施形態では、画像形成装置の一例としてレーザプリンタを例に挙げて説明する。
【００１９】
［レーザプリンタの概略構成］
先ず、レーザプリンタの概略構成について図１を参照しつつ説明する。
以下の説明では、図１において図面上の右側を前、左側を後とし、手前側を左、奥側を右とする。また、図１において図面上の上側を上とし、下側を下とする。なお、本実施形態のレーザプリンタは、正極性に帯電したトナーを使用するモノクロのレーザプリンタである。
図１に示すように、レーザプリンタ１は、略箱状の筐体２を備える。筐体２の上面には、排紙トレイ９が設けられている。筐体２の内部には、給紙部４と、画像形成部５と、定着器７と、一対の排紙ローラ８とが配置されている。給紙部４は、給紙カセット３と、一対の給紙ローラ６とを備えている。給紙カセット３は、筐体２の下方において、レーザプリンタ１の本体に対して着脱可能に装着されており、複数のシートＰを積層可能な状態で収容する。シートＰの定義には、紙製のシートの他、合成樹脂製のシートなど、トナー像を転写可能なシートを含む。
【００２０】
画像形成部５は、スキャナ部１１と、現像カートリッジ１３と、感光ドラム１７と、帯電器１８と、転写ローラ１９とを備えている。現像カートリッジ１３は、レーザプリンタ１の本体に対して着脱可能に構成されており、その内部にはトナーが収容されている。現像カートリッジ１３には、供給ローラ２３および現像ローラ２１が相対向して配置されている。現像カートリッジ１３内のトナーは、供給ローラ２３の回転により現像ローラ２１に供給され、現像ローラ２１の周面に担持される。
感光ドラム１７は、現像ローラ２１と相対向して配置されており、感光ドラム１７の後方斜め上方には、帯電器１８が間隔を隔てて配置されている。たとえば、帯電器１８は、帯電ワイヤと、グリッド部とを有するスコロトロン型の帯電器である。感光ドラム１７の下方には、転写ローラ１９が相対向して配置されている。
【００２１】
スキャナ部１１は、筐体２の内部上方に配置されており、図示しないレーザ発光部から発射されたレーザ光を、図示しないポリゴンミラー、反射鏡およびレンズなどを介して感光ドラム１７の表面上に走査する。
定着器７は、画像形成部５に対してシートＰの搬送方向の下流側（レーザプリンタ１内における後方側）に配置されている。定着器７は、定着ローラ２７と、加圧ローラ２９と、定着ローラ２７に内蔵されたヒータ３１とを備えている。たとえば、ヒータ３１は、ハロゲンヒータである。加圧ローラ２９は、定着ローラ２７と相対向して配置されており、定着ローラ２７を押圧する。ヒータ３１は、ヒータ制御装置（図示せず）の制御により、定着ローラ２７を加熱する。感光ドラム１７、帯電器１８、転写ローラ１９および現像ローラ２１は、画像形成部の一例である。
【００２２】
［レーザプリンタの主な動作］
次に、レーザプリンタ１の主な動作について図１を参照しつつ説明する。
レーザプリンタ１は、パーソナルコンピュータ等の外部の装置から印字データを受信すると、一対の給紙ローラ６が回転し、給紙カセット３の最上部のシートＰが画像形成部５の方へ給紙される。続いて、帯電器１８に帯電電圧が印加され、帯電器１８の帯電ワイヤと感光ドラム１７との間にコロナ放電が発生し、感光ドラム１７が一様に正極性に帯電する。続いて、供給ローラ２３がトナーを現像ローラ２１に供給すると、現像ローラ２１の周面にトナーが担持される。続いて、スキャナ部１１が印字データに対応したレーザ光を感光ドラム１７の周面に走査する。つまり、感光ドラム１７の表面が露光される。これにより、感光ドラム１７の周面のうち、レーザ光が照射された領域の電位が低下し、その電位が低下した領域に静電潜像が形成される。現像ローラ２１と、感光ドラム１７に形成された静電潜像との間に電位差が形成され、現像ローラ２１に担持されていたトナーが感光ドラム１７の静電潜像に移動し、その静電潜像の領域にトナーが担持され、トナー像が形成される。つまり、現像される。
【００２３】
そして、転写ローラ１９に負極性の転写電流が出力（負極性の転写電圧が印加）されると、感光ドラム１７と転写ローラ１９とによってニップされたシートＰに、感光ドラム１７のトナー像がシートＰに転写される。つまり、シートＰに画像が形成される。続いて、定着器７に搬送されたシートＰは、定着ローラ２７および加圧ローラ２９によって押圧され、シートＰに転写されたトナー像は、定着ローラ２７による加熱と、加圧ローラ２９による加圧とによってシートＰに熱定着される。つまり、シートＰに画像が印刷される。そして、シートＰは、排紙ローラ８間を通過して排紙トレイ９の上に排出される。
【００２４】
［レーザプリンタの主な電気的構成］
次に、本実施形態のレーザプリンタ１の主な電気的構成について図２を参照しつつ説明する。
図２に示すように、本実施形態のレーザプリンタ１は、制御部１０と、電源供給部４０とを備えている。制御部１０は、図示しないＣＰＵと、ＲＯＭと、ＲＡＭと、ＡＳＩＣとを備えており、レーザプリンタ１を制御する。電源供給部４０は、帯電器１８に帯電電圧ＣＨＧを印加する帯電電圧印加回路４１を備えており、帯電電圧印加回路４１は、グリッド電圧ＧＲＩＤを検出するグリッド電圧検出回路４２を備えている。帯電電圧印加回路４１は、制御部１０が出力ポートＰ１から出力する帯電電圧制御信号ＰＷＭ−ＣＨＧに対応した帯電電圧ＣＨＧを生成し、その生成した帯電電圧ＣＨＧを帯電器１８に印加する。たとえば、帯電電圧ＣＨＧは、＋６５００Ｖである。グリッド電圧検出回路４２は、グリッド電圧ＧＲＩＤを検出する。より具体的には、グリッド電圧検出回路４２は、帯電器１８に帯電電圧ＣＨＧを印加した際に帯電器１８の帯電ワイヤと感光ドラム１７との間で発生するコロナ放電により帯電器１８のグリッド部に流れ込む電流を、抵抗によって電圧変換することで、グリッド電圧ＧＲＩＤを検出する。そして、その検出したグリッド電圧ＧＲＩＤに対応する電圧をフィードバックグリッド電圧ＦＢ−ＧＲＩＤとして制御部１０の入力ポートＰ２に出力する。そして、制御部１０は、入力ポートＰ２から入力されたフィードバックグリッド電圧ＦＢ−ＧＲＩＤをＡ／Ｄ変換し、その変換した電圧値と予め制御部１０において設定されているグリッド電圧ＧＲＩＤの設定電圧値とを比較し、フィードバックグリッド電圧ＦＢ−ＧＲＩＤが、設定電圧と同じ電圧となるように帯電電圧制御信号ＰＷＭ−ＣＨＧのデューティ比を制御し、その制御した帯電電圧制御信号ＰＷＭ−ＣＨＧを出力ポートＰ１から帯電電圧印加回路４１へ出力する。つまり、帯電電圧ＣＨＧは、フィードバック制御により、グリッド電圧ＧＲＩＤが一定となるように制御される。
【００２５】
また、電源供給部４０は、現像ローラ２１に現像電圧ＤＥＶを印加する現像電圧印加回路４３を備えており、現像電圧印加回路４３は、現像電圧ＤＥＶを検出する現像電圧検出回路４４を備えている。現像電圧印加回路４３は、制御部１０が出力ポートＰ３から出力する現像電圧制御信号ＰＷＭ−ＤＥＶに対応した現像電圧ＤＥＶを生成し、その生成した現像電圧ＤＥＶを現像ローラ２１に印加する。現像電圧ＤＥＶは、たとえば、＋４００〜５５０Ｖである。現像電圧検出回路４４は、現像電圧ＤＥＶを検出し、その検出した現像電圧ＤＥＶに対応する電圧をフィードバック現像電圧ＦＢ−ＤＥＶとして制御部１０の入力ポートＰ４に出力する。そして、制御部１０は、入力ポートＰ４から入力されたフィードバック現像電圧ＦＢ−ＤＥＶをＡ／Ｄ変換し、その変換した電圧値と予め制御部１０において設定されている現像電圧ＤＥＶの設定電圧値とを比較し、フィードバック現像電圧ＦＢ−ＤＥＶが、設定電圧と同じ電圧となるように現像電圧制御信号ＰＷＭ−ＤＥＶのデューティ比を制御し、その制御した現像電圧制御信号ＰＷＭ−ＤＥＶを出力ポートＰ３から現像電圧印加回路４３へ出力する。つまり、現像電圧ＤＥＶは、フィードバック制御により、予め設定されている現像電圧となるように制御される。
【００２６】
さらに、電源供給部４０は、転写ローラ１９に負極性転写電圧ＴＲＣＣを印加する負極性転写電圧印加回路５０と、転写ローラ１９に正極性転写電圧ＴＲＣＶを印加する正極性転写電圧印加回路６０とを備えている。負極性転写電圧印加回路５０は、制御部１０が出力ポートＰ５から出力する負極性転写電圧制御信号ＰＷＭ−ＴＲＣＣに対応した負極性転写電圧ＴＲＣＣを生成し、その生成した負極性転写電圧ＴＲＣＣを転写ローラ１９に印加する。たとえば、負極性転写電圧ＴＲＣＣは、−３ｋＶである。正極性転写電圧印加回路６０は、制御部１０が出力ポートＰ７から出力する正極性転写電圧制御信号ＰＷＭ−ＴＲＣＶに対応した正極性転写電圧ＴＲＣＶを生成し、その生成した正極性転写電圧ＴＲＣＶを転写ローラ１９に印加する。シートＰが感光ドラム１７および転写ローラ１９間に存在しないときに、正極性転写電圧ＴＲＣＶが転写ローラ１９に印加されると、転写ローラ１９に付着していたトナーが感光ドラム１７に戻る。つまり、正極性転写電圧は、転写ローラ１９に付着しているトナーを感光ドラム１７に戻すために転写ローラ１９に印加される。たとえば、正極性転写電圧ＴＲＣＶは、２．５ｋＶである。なお、正極性転写電圧印加回路６０は、正極性の電圧を生成する回路の一例である。
【００２７】
負極性転写電圧印加回路５０は、正極性転写電圧印加回路６０が転写ローラ１９に印加した正極性転写電圧ＴＲＣＶを検出する転写電圧検出回路５６を備えている。転写電圧検出回路５６は、検出した転写電圧を示すフィードバック転写電圧ＦＢ−ＴＲＣＶを制御部１０の入力ポートＰ６に出力する。そして、制御部１０は、入力ポートＰ６から入力されたフィードバック転写電圧ＦＢ−ＴＲＣＶをＡ／Ｄ変換し、その変換した電圧値と、予め制御部１０において設定されている正極性転写電圧ＴＲＣＶの設定電圧値とを比較し、フィードバック転写電圧ＦＢ−ＴＲＣＶが、設定電圧と同じ電圧となるように正極性転写電圧制御信号ＰＷＭ−ＴＲＣＶのデューティ比を制御し、その制御した正極性転写電圧制御信号ＰＷＭ−ＴＲＣＶを出力ポートＰ７から正極性転写電圧印加回路６０へ出力する。つまり、正極性転写電圧ＴＲＣＶは、フィードバック制御により、予め設定されている正極性転写電圧となるように定電圧制御される。
【００２８】
正極性転写電圧印加回路６０は、負極性転写電圧印加回路５０が負極性転写電圧ＴＲＣＣを転写ローラ１９に印加したときに転写ローラ１９に流れる負極性の転写電流を検出する転写電流検出回路６６を備えている。たとえば、転写電流は、−２０μＡである。転写電流検出回路６６は、検出した転写電流を示すフィードバック転写電流ＦＢ−ＴＲＣＣを制御部１０の入力ポートＰ８に出力する。そして、制御部１０は、入力ポートＰ８から入力されたフィードバック転写電流ＦＢ−ＴＲＣＣをＡ／Ｄ変換し、その変換した電流値と、予め制御部１０において設定されている転写電流の設定電流値とを比較し、フィードバック転写電流ＦＢ−ＴＲＣＣが、設定電流と同じ電流となるように負極性転写電圧制御信号ＰＷＭ−ＴＲＣＣのデューティ比を制御し、その制御した負極性転写電圧制御信号ＰＷＭ−ＴＲＣＣを出力ポートＰ５から負極性転写電圧印加回路５０へ出力する。つまり、負極性転写電圧ＴＲＣＣは、フィードバック制御により、予め設定されている負極性転写電圧となるように定電流制御される。
【００２９】
［負極性転写電圧印加回路５０の構成］
次に、負極性転写電圧印加回路５０の構成について図３を参照しつつ説明する。
図３に示すように、負極性転写電圧印加回路５０は、低圧回路５１と、高圧回路５２とを備えている。低圧回路５１は、高圧回路５２に設けられた昇圧トランス５５を制御するトランス制御回路５７と、転写電圧検出回路５６とを備えている。
（トランス制御回路）
トランス制御回路５７について説明する。
昇圧トランス５５は、１次側第１コイル５５ａと、１次側第２コイル５５ｂと、２次側コイル５５ｃとを備えている。１次側第１コイル５５ａおよび１次側第２コイル５５ｂは同じ極性であり、２次側コイル５５ｃは、１次側第１コイル５５ａおよび１次側第２コイル５５ｂと逆極性である。１次側第１コイル５５ａの一端は、直流２４Ｖの電源（図５および図６において符号８０にて示す）に接続されている。直流２４Ｖは、商用交流電源を直流２４Ｖに変換するＡＣ変換回路（図示省略）によって生成される。１次側第１コイル５５ａの他端と、１次側第２コイル５５ｂの一端との間には、１次側に発生する電圧を検出するための回路であって、コンデンサＣ４，Ｃ５および抵抗Ｒ１から構成された直列回路が並列に接続されている。１次側第１コイル５５ａの他端は、エミッタ接地のＮＰＮ型トランジスタＴｒ１のコレクタに接続されており、ＮＰＮ型トランジスタＴｒ１のベースは、１次側第２コイル５５ｂの一端に接続されている。
【００３０】
制御部１０の出力ポートＰ５には、抵抗Ｒ１０の一端が接続されており、抵抗Ｒ１０の他端はＰＮＰ型トランジスタＴｒ２のベースに接続されている。抵抗Ｒ１０の他端とＰＮＰ型トランジスタＴｒ２のベースとの間には、他端がシグナルグランドＳＧに接続されたコンデンサＣ９の一端が接続されている。抵抗Ｒ１０およびコンデンサＣ９は、積分回路を構成している。つまり、出力ポートＰ５と、ＰＮＰ型トランジスタＴｒ２のベースとの間には、出力ポートＰ５から出力される負極性転写電圧制御信号ＰＷＭ−ＴＲＣＣを平滑化する平滑化回路が接続されている。ＰＮＰ型トランジスタＴｒ２のエミッタは、直列接続された抵抗Ｒ８，Ｒ９を介して３．３Ｖの直流電源に接続されている。ＰＮＰ型トランジスタＴｒ２のコレクタは、抵抗Ｒ７の一端に接続されており、抵抗Ｒ７の他端は１次側第２コイル５５ｂの一端に接続されている。ＰＮＰ型トランジスタＴｒ２のコレクタと抵抗Ｒ７の一端との間には、他端が接地されたコンデンサＣ８の一端が接続されている。
【００３１】
制御部１０の出力ポートＰ５から出力された負極性転写電圧制御信号ＰＷＭ−ＴＲＣＣは、抵抗Ｒ１０およびコンデンサＣ９から成る平滑化回路によって平滑化され、その平滑化された負極性転写電圧制御信号ＰＷＭ−ＴＲＣＣがハイレベルになっているときにＰＮＰ型トランジスタＴｒ２がオンし、３．３Ｖの直流電流がＰＮＰ型トランジスタＴｒ２に流れる。そして、１次側第２コイル５５ｂに直流電流が流れ、ＮＰＮ型トランジスタＴｒ１がオンし、１次側第１コイル５５ａに２４Ｖの直流電流が流れる。つまり、昇圧トランス５５が駆動され、負極性転写電圧ＴＲＣＣが出力端子ＴＲに印加され、転写ローラ１９に負極性の転写電流が流れる。
【００３２】
（転写電圧検出回路）
転写電圧検出回路５６について説明する。
ＮＰＮ型トランジスタＴｒ１のコレクタとコンデンサＣ４の一端との間には、コンデンサＣ６の一方の電極が接続されており、コンデンサＣ６の他方の電極には、電流制限抵抗Ｒ２の一端が接続されている。電流制限抵抗Ｒ２の他端にはダイオードＤ４のアノードが接続されており、電流制限抵抗Ｒ２とダイオードＤ４のアノードとの間には、他端がシグナルグランドＳＧに接続されたプルダウン抵抗Ｒ３の一端が接続されている。ダイオードＤ４のカソードには電流制限抵抗Ｒ４の一端が接続されている。ダイオードＤ４のカソードと電流制限抵抗Ｒ４の一端との間には、他方の電極はシグナルグランドＳＧに接続されたコンデンサＣ７の一方の電極が接続されている。電流制限抵抗Ｒ４の他端は、制御部１０の入力ポートＰ６に接続されている。電流制限抵抗Ｒ４の他端と入力ポートＰ６との間には、他端がシグナルグランドＳＧに接続されたプルダウン抵抗Ｒ５の一端が接続されている。プルダウン抵抗Ｒ５の一端と入力ポートＰ６との間には、他端は３．３Ｖの直流電源に接続されたプルアップ抵抗Ｒ６の一端が接続されている。
【００３３】
図４に示す正極性転写電圧印加回路６０が転写ローラ１９に印加した正極性転写電圧ＴＲＣＶは、図３に示す昇圧トランス５５の１次側に接続された転写電圧検出回路５６によって検出され、その検出された転写電圧を示すフィードバック転写電圧ＦＢ−ＴＲＣＶは、制御部１０の入力ポートＰ６に入力される。そして、入力ポートＰ６に入力されたフィードバック転写電圧ＦＢ−ＴＲＣＶは、Ａ／Ｄ変換され、制御部１０は、そのＡ／Ｄ変換された電圧値と、予め制御部１０に設定されている転写電圧の設定電圧値とを比較し、その比較結果に応じて正極性転写電圧制御信号ＰＷＭ−ＴＲＣＶのデューティ比を制御し、フィードバック転写電圧ＦＢ−ＴＲＣＶが、上記の設定電圧と同じ電圧となるように定電圧制御する。
【００３４】
（高圧回路）
高圧回路５２について説明する。
高圧回路５２は、昇圧部５３を備えている。昇圧部５３は、昇圧トランス５５と、昇圧整流回路５４とを備えている。昇圧整流回路５４は、昇圧トランス５５の２次側コイル５５ｃに誘起された電圧を昇圧するとともに整流平滑化する。昇圧整流回路５４は、昇圧トランス５５の２次側コイル５５ｃと、転写ローラ１９と電気的に接続された出力端子ＴＲとの間に接続されている。昇圧整流回路５４は、第１段目の昇圧整流回路５４ａと、第２段目の昇圧整流回路５４ｂと、第３段目の昇圧整流回路５４ｃとから構成されている。つまり、昇圧整流回路５４は、計３段の昇圧整流回路５４ａ〜５４ｃにより昇圧および整流を行う。
【００３５】
第１段目の昇圧整流回路５４ａを構成するコンデンサＣ１と、第３段目の昇圧整流回路５４ｃを構成するコンデンサＣ３とは、相互に直列に接続されており、コンデンサＣ１の低電圧側の電極は、昇圧トランス５５の２次側コイル５５ｃの一端に接続されている。また、第２段目の昇圧整流回路５４ｂを構成するコンデンサＣ２の一端は、２次側コイル５５ｃの他端に接続されている。また、第１段目の昇圧整流回路５４ａを構成するダイオードＤ１のアノードは、コンデンサＣ１の高電圧側の電極に接続されており、カソードは、第２段目の昇圧整流回路５４ｂを構成するコンデンサＣ２の低電圧側の電極に接続されている。第２段目の昇圧整流回路５４ｂを構成するダイオードＤ２のアノードは、コンデンサＣ２の高電圧側の電極に接続されており、カソードは、第３段目の昇圧整流回路５４ｃを構成するコンデンサＣ３の低電圧側の電極に接続されている。第３段目の昇圧整流回路５４ｃを構成するダイオードＤ３のアノードは、コンデンサＣ３の高電圧側の電極に接続されており、カソードは、コンデンサＣ２の高電圧側の電極に接続されている。また、コンデンサＣ１の低電圧側の電極と、コンデンサＣ３の高電圧側の電極との間には、ブリーダ抵抗を構成する抵抗Ｒ１２〜抵抗Ｒ２５が直列接続されている。抵抗Ｒ２５の一端は、後述する正極性転写電圧印加回路６０の整流回路６４（図４）と接続されている。
昇圧トランス５５の２次側コイル５５ｃに誘起された電圧は、昇圧整流回路５４によって昇圧および整流されることにより、所定電圧の負極性転写電圧が生成され、出力端子ＴＲに印加される。
なお、本実施形態では、昇圧整流回路５４は、３段構成であるが、１段または２段あるいは４段以上の構成にすることもできる。昇圧整流回路５４は整流回路の一例である。
【００３６】
［基板の構造］
次に、負極性転写電圧印加回路５０が実装された基板の構造について図５（Ａ）を参照しつつ説明する。
基板７０は、絶縁性材料により板状に形成されており、レーザプリンタ１の内部に配置されている。基板７０は、電気回路を実装可能な基板面である第１面７０ａと、電気回路を実装可能な基板面であって第１面７０ａと反対側の第２面７０ｂとを備える両面基板である。電気回路には、電子部品と、電子部品間を電気的に接続する導電パターン（回路パターン）とが含まれる。基板面とは基板７０の板面を指しており、基板７０の各端面を除く意味である。また、基板７０は、その第１面７０ａが、レーザプリンタ１の内部に設けられている画像形成部（感光ドラム１７、帯電器１８、転写ローラ１９および現像ローラ２１）の方、つまり、レーザプリンタ１の内側を向くように配置しても良いし、外側を向くように配置しても良い。
【００３７】
基板７０の第１面７０ａおよび第２面７０ｂには、負極性転写電圧印加回路５０を構成する各回路が実装されている。基板７０の第１面７０ａには、昇圧トランス５５と、トランス制御回路５７と、転写電圧検出回路５６と、昇圧整流回路５４の第１段目の昇圧整流回路５４ａとが実装されている。具体的には、基板７０の第１面７０ａには、図３に示した昇圧トランス５５、トランス制御回路５７を構成するＮＰＮ型トランジスタＴｒ１、ＰＮＰ型トランジスタＴｒ２、コンデンサおよび抵抗などの電子部品が実装されている。昇圧トランス５５は、直流の２４Ｖを供給する電源８０と電気的に接続されている。以下、基板７０の第１面７０ａに実装されている電気回路を第１回路という。基板７０の第１面７０ａには、第１面７０ａに実装する第１回路に対応した導電パターン（図示省略）が形成されている。第１面７０ａに実装する第１回路を構成する各電子部品は、第１面７０ａに形成された上記導電パターンと電気的に接続されている。
【００３８】
また、基板７０の第１面７０ａと反対側の第２面７０ｂには、昇圧整流回路５４の第２段目の昇圧整流回路５４ｂおよび第３段目の昇圧整流回路５４ｃならびに抵抗Ｒ１２〜Ｒ２５が実装されている。具体的には、基板７０の第２面７０ｂには、図３に示した第２段目の昇圧整流回路５４ｂを構成するコンデンサＣ２およびダイオードＤ２と、第３段目の昇圧整流回路５４ｃを構成するコンデンサＣ３およびダイオードＤ３と、抵抗Ｒ１２〜Ｒ２５とが、第２面７０ｂに形成された導電パターン（図示省略）と電気的に接続されている。第３段目の昇圧整流回路５４ｃは、転写ローラ１９と接続されている。
上述したように、昇圧部５３は、電源８０の電圧を昇圧する昇圧トランス５５と、昇圧トランス５５により昇圧された電圧を昇圧かつ整流する昇圧整流回路５４を備えており、基板７０の第２面７０ｂには、昇圧整流回路５４の少なくとも一部が実装されている。以下、基板７０の第２面７０ｂに実装されている電気回路を第２回路という。
【００３９】
基板７０の第１面７０ａおよび第２面７０ｂにそれぞれ形成された導電パターンは、銅などの導電性材料により、各基板面においてそれぞれ膜状に形成されている。また、電子部品と導電パターンとを電気的に接続する手法として、リフロー式の半田付けを用いることができる。また、第１回路の各電子部品をリフロー式の半田付けにより第１面７０ａに半田付けするときに用いる半田と、第２回路の各電子部品をリフロー式の半田付けにより第２面７０ｂに半田付けするときに用いる半田とは、溶融温度が異なる。このように溶融温度が異なる半田を用いることにより、基板７０の両面に回路を実装することができる。
また、第１面７０ａおよび第２面７０ｂ間には、導電性材料が充填されたスルーホール７１，７２がそれぞれ貫通形成されている。基板７０の第１面７０ａに実装された第１段目の昇圧整流回路５４ａと、基板７０の第１面７０ａと反対側の第２面７０ｂに実装された第２段目の昇圧整流回路５４ｂとは、スルーホール７１，７２を通じて電気的に接続されている。また、基板７０の第１面７０ａおよび第２面７０ｂにそれぞれ実装された各電子部品は、電子部品間でリーク電流が流れないように相互に所定距離を隔てて配置されている。
【００４０】
上述したように、本実施形態のレーザプリンタ１は、シートＰに画像を形成する画像形成部と、電源８０と電気的に接続されており、電源８０の電圧を昇圧して画像形成部へ供給する電源供給部と、を備えたレーザプリンタであって、電源供給部は、基板７０と、基板７０の第１面７０ａに実装され、電源８０の電圧を昇圧する昇圧部を含む第１回路と、第１回路と電気的に接続されており、基板７０の第１面７０ａと反対側の第２面７０ｂに実装された第２回路と、を備えており、第１回路および第２回路のそれぞれは、少なくとも１つの電子部品と導電パターンとを含むレーザプリンタである。
なお、転写電圧検出回路５６を基板７０の第２面７０ｂに実装することもできる。
【００４１】
［第１実施形態の効果］
上述した第１実施形態のレーザプリンタ１によれば、負極性転写電圧印加回路５０を構成する昇圧整流回路５４のうち、第１段目の昇圧整流回路５４ａは、基板７０の第１面７０ａに実装されており、第２段目の昇圧整流回路５４ｂおよび第３段目の昇圧整流回路５４ｃは、基板７０の第１面７０ａと反対側の第２面７０ｂに実装されているため、昇圧整流回路５４の総てが、基板７０の一方の面に実装されている構造よりも、基板７０を小型化することができる。
しかも、第１回路は基板７０の第１面７０ａに実装されており、第２回路は基板７０の第１面７０ａと反対側の第２面７０ｂに実装されているため、第１回路および第２回路間の絶縁距離を長くすることもできる。
【００４２】
なお、昇圧整流回路５４の第１段目の昇圧整流回路５４ａおよび第２段目の昇圧整流回路５４ｂを基板７０の第１面７０ａに実装し、第３段目の昇圧整流回路５４ｃを基板７０の第２面７０ｂに実装することもできる。また、昇圧整流回路５４を１段で構成する場合は、その１段の昇圧整流回路５４を基板７０の第２面７０ｂに実装することもできる。また、昇圧整流回路５４を２段で構成する場合は、第１段目の昇圧整流回路を基板７０の第１面７０ａに実装し、第２段目の昇圧整流回路を第２面７０ｂに実装することもできる。また、昇圧整流回路５４を４段以上で構成する場合は、第１段目の昇圧整流回路を基板７０の第１面７０ａに実装し、第２段目以降の昇圧整流回路を基板７０の第２面７０ｂに実装することもできる。昇圧整流回路５４のうち、基板７０の第１面７０ａに実装する段数および第２面７０ｂに実装する段数は、合計の段数に応じて設計変更可能である。
【００４３】
〈第２実施形態〉
本発明の第２実施形態について図を参照しつつ説明する。
なお、前述した第１実施形態と同じ構成については説明を省略し、同じ符号を用いる。
［正極性転写電圧印加回路の構成］
正極性転写電圧印加回路６０の構成について図４を参照しつつ説明する。
図４に示すように、正極性転写電圧印加回路６０は、低圧回路６１と、高圧回路６２とを備えている。低圧回路６１は、高圧回路６２に設けられた昇圧トランス６５を制御するトランス制御回路６３を備えている。
【００４４】
（トランス制御回路）
トランス制御回路６３について説明する。
昇圧トランス６５は、１次側第１コイル６５ａと、１次側第２コイル６５ｂと、２次側コイル６５ｃとを備えている。１次側第１コイル６５ａおよび１次側第２コイル６５ｂは同じ極性であり、２次側コイル６５ｃは、１次側第１コイル６５ａおよび１次側第２コイル６５ｂと逆極性である。１次側第１コイル６５ａの一端は、エミッタ接地のＮＰＮ型トランジスタＴｒ３のコレクタと接続されており、１次側第１コイル６５ａの他端は、直流２４Ｖの電源（図５および図において符号８０にて示す）に接続されている。１次側第１コイル６５ａの他端と、１次側第２コイル６５ｂの一端との間には、１次側に印加する電圧を整流するための回路であって、コンデンサＣ１３，Ｃ１４および抵抗Ｒ３１から構成された直列回路が並列に接続されている。１次側第２コイル６５ｂの他端は、ＮＰＮ型トランジスタＴｒ３のベースに接続されている。
【００４５】
制御部１０の出力ポートＰ７には、抵抗Ｒ３５の一端が接続されており、抵抗Ｒ３５の他端はＰＮＰ型トランジスタＴｒ４のベースに接続されている。抵抗Ｒ３５の他端とＰＮＰ型トランジスタＴｒ４のベースとの間には、他端がシグナルグランドＳＧに接続されたコンデンサＣ１６の一端が接続されている。抵抗Ｒ３５およびコンデンサＣ１６は、平滑化回路（積分回路）を構成している。つまり、出力ポートＰ７と、ＰＮＰ型トランジスタＴｒ４のベースとの間には、出力ポートＰ７から出力される正極性転写電圧制御信号ＰＷＭ−ＴＲＣＶを平滑化する平滑化回路が接続されている。ＰＮＰ型トランジスタＴｒ４のエミッタは、直列接続された抵抗Ｒ３３，Ｒ３４を介して３．３Ｖの直流電源に接続されている。ＰＮＰ型トランジスタＴｒ４のコレクタは、抵抗Ｒ３２の一端に接続されており、抵抗Ｒ３２の他端は１次側第２コイル６５ｂの一端に接続されている。ＰＮＰ型トランジスタＴｒ４のコレクタと抵抗Ｒ３２の一端との間には、他端が接地されたコンデンサＣ１５の一端が接続されている。
【００４６】
制御部１０の出力ポートＰ７から出力された正極性転写電圧制御信号ＰＷＭ−ＴＲＣＶは、抵抗Ｒ３５およびコンデンサＣ１６から成る平滑化回路によって平滑化され、その平滑化された正極性転写電圧制御信号ＰＷＭ−ＴＲＣＶがハイレベルになっているときにＰＮＰ型トランジスタＴｒ４がオンし、３．３Ｖの直流電流がＰＮＰ型トランジスタＴｒ４に流れる。そして、１次側第２コイル６５ｂに直流電流が流れ、ＮＰＮ型トランジスタＴｒ３がオンし、１次側第１コイル６５ａに２４Ｖの直流電流が流れる。つまり、昇圧トランス６５が駆動され、図３に示す出力端子ＴＲから転写ローラ１９に正極性転写電圧ＴＲＣＶが印加される。
【００４７】
（高圧回路）
高圧回路６２について説明する。
高圧回路６２は、昇圧トランス６５と、整流回路６４と、転写電流検出回路６６とを備えている。整流回路６４は、昇圧トランス６５の２次側コイル６５ｃに誘起された電圧を整流平滑化する。整流回路６４は、ダイオードＤ７およびコンデンサＣ１１を備えている。ダイオードＤ７のアノードは、２次側コイル６５ｃの一端と接続されており、カソードは、転写電流検出回路６６を構成する抵抗Ｒ２６の一端と接続されている。ダイオードＤ７のカソードと抵抗Ｒ２６の一端との間と、２次側コイル６５ｃの他端との間には、コンデンサＣ１１が接続されている。コンデンサＣ１１の一端は、ダイオードＤ７のカソードと抵抗Ｒ２６の一端との間に接続されており、コンデンサＣ１１の他端は、２次側コイル６５ｃの他端と抵抗Ｒ３０の一端との間に接続されている。抵抗Ｒ２６と抵抗Ｒ３０との間には、抵抗Ｒ２７〜Ｒ２９が直列接続されている。抵抗Ｒ２６〜Ｒ３０は、転写電流検出回路６６の一部を構成している。２次側コイル６５ｃの他端とコンデンサＣ１１の他端との間には、他端がシグナルグランドＳＧに接続されたコンデンサＣ１２の一端が接続されている。
【００４８】
アノードがシグナルグランドＳＧに接続されたダイオードＤ８のカソードにはダイオードＤ９のアノードが接続されており、ダイオードＤ８のカソードとダイオードＤ９のアノードとの間は、コンデンサＣ１２の一端とコンデンサＣ１１の他端との間と接続されている。ダイオードＤ９のカソードは、抵抗Ｒ３８の一端と接続されており、抵抗Ｒ３８の他端には、他端がシグナルグランドＳＧに接続された抵抗Ｒ３９の一端が接続されている。ダイオードＤ８，Ｄ９および抵抗Ｒ３８，Ｒ３９は、転写電流検出回路６６の一部を構成しており、抵抗Ｒ３８，Ｒ３９は、ダイオードＤ９から出力される転写電流を分流する分流抵抗である。抵抗Ｒ３８の他端と抵抗Ｒ３９の一端との間は、制御部１０の入力ポートＰ８と接続されている。抵抗Ｒ３８の他端と抵抗Ｒ３９の一端との間と、入力ポートＰ８とを接続するラインには、他端がシグナルグランドＳＧに接続されたコンデンサＣ１８の一端が接続されている。コンデンサＣ１８は、転写電流検出回路６６の一部を構成している。転写電流検出回路６６は、検出回路の一例である。
【００４９】
図３に示す負極性転写電圧印加回路５０が負極性転写電圧ＴＲＣＣを転写ローラ１９に印加したときに転写ローラ１９に流れる負極性の転写電流は、図４に示す転写電流検出回路６６によって検出され、その検出されたフィードバック転写電流ＦＢ−ＴＲＣＣは、抵抗Ｒ３８，Ｒ３９によって分流され、その分流されたフィードバック転写電流ＦＢ−ＴＲＣＣは、制御部１０の入力ポートＰ８に入力される。そして、入力ポートＰ８に入力されたフィードバック転写電流ＦＢ−ＴＲＣＣは、Ａ／Ｄ変換され、制御部１０は、そのＡ／Ｄ変換された電流値と、予め制御部１０に設定されている転写電流の設定電流値とを比較し、その比較結果に応じて負極性転写電圧制御信号ＰＷＭ−ＴＲＣＣのデューティ比を制御し、フィードバック転写電流ＦＢ−ＴＲＣＣが、上記の設定電流と同じ電流値となるように定電流制御する。
【００５０】
［基板の構造］
次に、正極性転写電圧印加回路６０が実装された基板の構造について図５（Ｂ）を参照しつつ説明する。
基板７０の第１面７０ａおよび第２面７０ｂには、正極性転写電圧印加回路６０が実装されている。基板７０の第１面７０ａには、昇圧トランス６５と、トランス制御回路６３と、整流回路６４とが実装されている。具体的には、基板７０の第１面７０ａには、図３に示した昇圧トランス６５、トランス制御回路６３を構成するＮＰＮ型トランジスタＴｒ３、ＰＮＰ型トランジスタＴｒ４、複数のコンデンサおよび抵抗などが、第１面７０ａに形成された導電パターン（図示省略）に、リフロー半田付けなどの接続手法により電気的に接続されている。以下、基板７０の第１面７０ａに実装されている昇圧トランス６５、トランス制御回路６３および整流回路６４を第１回路という。
【００５１】
また、基板７０の第１面７０ａと反対側の第２面７０ｂには、転写電流検出回路６６を構成する電子部品が実装されている。具体的には、基板７０の第２面７０ｂには、図３に示した転写電流検出回路６６を構成する抵抗Ｒ２６〜Ｒ３０と、ダイオードＤ８，Ｄ９と、抵抗Ｒ３８，Ｒ３９と、コンデンサＣ１８とから成る電子部品が配置されており、それら各電子部品の各両端に形成されている各接続端子は、基板７０の第２面７０ｂから第１面７０ａに挿通されており、各接続端子は、第１面７０ａに形成された導電パターン（図示省略）に、フロー半田付けなどの接続手法により電気的に接続されている。つまり、上記の各電子部品の各両端の接続端子間には、基板７０が介在された状態になっており、各接続端子は、第１面７０ａに形成された導電パターンと電気的に接続されている。
【００５２】
以下、基板７０の第２面７０ｂに実装されている転写電流検出回路６６を第２回路という。また、基板７０の第１面７０ａに実装された整流回路６４と、第２面７０ｂに実装された転写電流検出回路６６の各電子部品とは、第１面７０ａに形成された導電パターンにより電気的に接続されている。また、整流回路６４は、基板７０以外の基板に実装された負極性転写電圧印加回路５０と接続されており、負極性転写電圧印加回路５０は転写ローラ１９と接続されている。また、基板７０の第１面７０ａおよび第２面７０ｂにそれぞれ実装された各電子部品は、電子部品間でリーク電流が流れないように相互に所定距離を隔てて配置されている。
上述したように、本実施形態のレーザプリンタ１は、画像形成部へ供給する電流を検出する転写電流検出回路６６を備えており、転写電流検出回路６６の少なくとも一部が、基板７０の第２面７０ｂに実装されていることを特徴としている。
【００５３】
［第２実施形態の効果］
上述した第２実施形態のレーザプリンタ１によれば、第１回路は基板７０の第１面７０ａに実装されており、第２回路は基板７０の第１面７０ａと反対側の第２面７０ｂに実装されているため、第２回路が基板７０の第１面７０ａに実装されている構造よりも、基板７０を小型化することができる。
しかも、第１回路は基板７０の第１面７０ａに実装されており、第２回路は基板７０の第１面７０ａと反対側の第２面７０ｂに実装されているため、第１回路および第２回路間の絶縁距離を長くすることもできる。
特に、転写電流検出回路６６を構成する各電子部品は第２面７０ｂに配置されており、各電子部品の各両端の接続端子は、基板７０に挿通されることにより、接続端子間には基板７０が介在した状態となる。
したがって、各電子部品の接続端子間の絶縁距離を長くすることができるため、接続端子間にリーク電流が流れ難い。
なお、転写電流検出回路６６の一部を基板７０の第２面７０ｂに実装することもできる。
【００５４】
〈第３実施形態〉
次に、本発明の第３実施形態について図６（Ａ）を参照しつつ説明する。
なお、前述した第１実施形態と同じ構成については説明を省略し、同じ符号を用いる。
図６（Ａ）に示すように、本実施形態のレーザプリンタに備えられた基板７０の第１面７０ａには、図４に示した正極性転写電圧印加回路６０が実装されており、基板７０の第１面７０ａと反対側の第２面７０ｂには、図３に示した負極性転写電圧印加回路５０が実装されている。正極性転写電圧印加回路６０を構成する各電子部品は、基板７０の第１面７０ａに形成された導電パターンに、リフロー式の半田付けにより半田付けされており、負極性転写電圧印加回路５０は、基板７０の第２面７０ｂに形成された導電パターンに、リフロー式の半田付けにより半田付けされている。また、正極性転写電圧印加回路６０の各電子部品を半田付けするときに用いる半田と、負極性転写電圧印加回路５０の各電子部品を半田付けするときに用いる半田とは、溶融温度が異なる。このように溶融温度が異なる半田を用いることにより、基板７０の両面に回路を実装することができる。
第１面７０ａおよび第２面７０ｂ間には、導電性材料が充填されたスルーホール７３が貫通形成されている。基板７０の第１面７０ａに実装された正極性転写電圧印加回路６０と、基板７０の第１面７０ａと反対側の第２面７０ｂに実装された負極性転写電圧印加回路５０とは、スルーホール７３を通じて電気的に接続されている。
なお、正極性転写電圧印加回路６０は第１回路の一例であり、負極性転写電圧印加回路５０は第２回路の一例である。
【００５５】
［第３実施形態の効果］
上述した第３実施形態のレーザプリンタ１によれば、正極性転写電圧印加回路６０が基板７０の第１面７０ａに実装されており、負極性転写電圧印加回路５０が基板７０の第１面７０ａと反対側の第２面７０ｂに実装されているため、正極性転写電圧印加回路６０および負極性転写電圧印加回路５０が基板７０の第１面７０ａまたは第２面７０ｂに実装されている構造よりも、基板７０を小型化することができる。
しかも、正極性転写電圧印加回路６０が基板７０の第１面７０ａに実装されており、負極性転写電圧印加回路５０が基板７０の第１面７０ａと反対側の第２面７０ｂに実装されているため、正極性転写電圧印加回路６０と負極性転写電圧印加回路５０との絶縁距離を長くすることもできる。
なお、正極性転写電圧印加回路６０の一部を基板７０の第２面７０ｂに実装することもできる。また、負極性転写電圧印加回路５０の一部を基板７０の第１面７０ａに実装することもできる。
【００５６】
〈第４実施形態〉
次に、本発明の第４実施形態について図６（Ｂ）を参照しつつ説明する。
なお、前述した第１実施形態と同じ構成については説明を省略し、同じ符号を用いる。
図６（Ｂ）に示すように、本実施形態のレーザプリンタに備えられた基板７０の第１面７０ａには、図３に示した負極性転写電圧印加回路５０のうち、高圧回路５２を構成する昇圧トランス５５および昇圧整流回路５４が実装されており、基板７０の第１面７０ａと反対側の第２面７０ｂには、負極性転写電圧印加回路５０のうち、低圧回路５１を構成するトランス制御回路５７および転写電圧検出回路５６が実装されている。低圧回路５１は、昇圧整流回路５４が出力端子ＴＲに印加する負極性転写電圧ＴＲＣＣよりも低い低電圧を出力する回路である。換言すると、低圧回路５１は、電源８０と昇圧部５３との間に設けられ、昇圧整流回路５４が出力する電圧よりも低い低電圧を出力する回路である。つまり、基板７０の第１面７０ａには、相対的に高い電圧を出力する高圧回路５２が実装されており、基板７０の第１面７０ａと反対側の第２面７０ｂには、相対的に低い電圧を出力する低圧回路５１が実装されている。
【００５７】
高圧回路５２を構成する各電子部品は、基板７０の第１面７０ａに形成された導電パターンに、リフロー式の半田付けにより半田付けされており、低圧回路５１を構成する各電子部品は、基板７０の第２面７０ｂに形成された導電パターンに、リフロー式の半田付けにより半田付けされている。また、高圧回路５２の各電子部品を半田付けするときに用いる半田と、低圧回路５１の各電子部品を半田付けするときに用いる半田とは、溶融温度が異なる。このように溶融温度が異なる半田を用いることにより、基板７０の両面に回路を実装することができる。
第１面７０ａおよび第２面７０ｂ間には、導電性材料が充填されたスルーホール７４〜７６がそれぞれ貫通形成されている。基板７０の第１面７０ａに実装された昇圧トランス５５の１次側第１コイル５５ａおよび１次側第２コイル５５ｂは、スルーホール７４〜７６を通じて、基板７０の第２面７０ｂに実装されたトランス制御回路５７と電気的に接続されている。
なお、昇圧トランス５５および昇圧整流回路５４は第１回路の一例であり、トランス制御回路５７および転写電圧検出回路５６は第２回路の一例である。
【００５８】
［第４実施形態の効果］
上述した第４実施形態のレーザプリンタ１によれば、基板７０の第１面７０ａには、負極性転写電圧印加回路５０のうち、相対的に高い電圧を出力する高圧回路５２が実装されており、基板７０の第１面７０ａと反対側の第２面７０ｂには、高圧回路５２が出力する電圧よりも低い低電圧を出力する低圧回路５１が実装されているため、高圧回路５２および低圧回路５１が基板７０の第１面７０ａまたは第２面７０ｂに実装されている構造よりも、基板７０を小型化することができる。
しかも、基板７０の第１面７０ａには高圧回路５２が実装されており、第２面７０ｂには低圧回路５１が実装されているため、高圧回路５２および低圧回路５１間の絶縁距離を長くすることもできる。
なお、高圧回路５２の一部を基板７０の第２面７０ｂに実装することもできる。また、低圧回路５１の一部を基板７０の第１面７０ａに実装することもできる。
【００５９】
〈他の実施形態〉
（１）前述した各実施形態の基板７０の第１面７０ａおよび第２面７０ｂには、前述した負極性転写電圧印加回路５０および正極性転写電圧印加回路６０の他に、レーザプリンタ１に備えられた他の電気回路を実装することもできる。たとえば、帯電電圧印加回路４１または現像電圧印加回路４３（図２）を実装することができる。また、１つの基板に対して、それぞれ機能が異なる３つ以上の電気回路を実装することもできる。
【００６０】
（２）本発明の画像形成装置は、感光ドラム１７の表面に残留しているトナーや紙粉などをクリーニングするドラムクリーナと、このドラムクリーナに電圧を印加するドラムクリーナ電圧印加回路と、を備えている画像形成装置にも適用することができる。この場合、ドラムクリーナ電圧印加回路を基板７０の第１面７０ａおよび第２面７０ｂに実装することができる。ドラムクリーナ電圧印加回路は、クリーニングする対象物の種類によって印加電圧の大きさおよび極性を変えることができる。たとえば、正極性の６００Ｖのドラムクリーナ電圧を印加することにより、紙粉を除去する。また、負極性の４００Ｖのドラムクリーナ電圧を印加することにより、トナーを除去する。
【符号の説明】
【００６１】
１    レーザプリンタ
１０    制御部
１７    感光ドラム
１８    帯電器
１９    転写ローラ
２１    現像ローラ
５０    負極性転写電圧印加回路
５１    低圧回路
５２    高圧回路
５３    昇圧部
５４    昇圧整流回路
５５    昇圧トランス
５７    トランス制御回路
６０    正極性転写電圧印加回路
６１    低圧回路
６２    高圧回路
６３    トランス制御回路
６５    昇圧トランス
６６    転写電流検出回路
７０    基板
７０ａ  第１面
７０ｂ  第２面
８０    電源
Ｐ    シート
【図１】
2020134863.tif 000003
【図２】
2020134863.tif 000004
【図３】
2020134863.tif 000005
【図４】
2020134863.tif 000006
【図５】
2020134863.tif 000007
【図６】
2020134863.tif 000008